(57)【要約】【課題】物干し竿に干した衣類等の洗濯物が風によって吹き寄せられることを防止し、かつ、一本の物干し竿のみを用いて布団類などの重厚な干し物を効率的に乾燥させることができる物干し竿を提供する。【解決手段】物干し竿の竿軸１０の長手方向について、軸体１０を互いに反対方向に屈曲させた屈曲部を連続して設ける。隣接する同方向に屈曲された屈曲部１２と１４、或いはは屈曲部１１と１３は、竿軸の長手方向中心線を含む垂直断面に対し、所定の角度をもって互いに反対側に傾斜している。【選択図】図２
0003142573.tif 000002
【実用新案登録請求の範囲】
【請求項１】
竿軸の長手方向について、竿軸の軸体を互いに反対方向に屈曲させた屈曲部を連続して設けたことを特徴とする物干し竿。
【請求項２】
隣接する同方向に屈曲された屈曲部は、竿軸の長手方向中心線を含む垂直断面に対し、所定の角度をもって互いに反対側に傾斜していることを特徴とする請求項１に記載の物干し竿。
【請求項３】
前記屈曲部は、その中間部において直線部分を有することを特徴とする請求項１又は２に記載の物干し竿。
【請求項４】
前記竿軸の軸体は、ステンレス鋼材若しくは防錆処理が施された鋼材、或いは防水部材によって被覆された鋼材からなる管状体であることを特徴とする請求項１乃至３のうちの少なくとも何れか一項に記載の物干し竿。
【考案の詳細な説明】
【技術分野】
【０００１】
本考案は、物干し竿に関するものであり、より詳細には、竿軸の長手方向に屈曲部を連続して設けたことを特徴とする物干し竿に関するものである。
【背景技術】
【０００２】
今日、洗濯物や布団類を乾燥させる機器としては、乾燥機能を備えた全自動洗濯機や布団乾燥機などのいわゆるハイテク家電製品が普及している。しかしながら、洗濯物や布団類を天日によって自然乾燥させる物干し竿は、安価・簡便・経済的という特徴から、未だに世の中において広く用いられている。
【０００３】
ところで、物干し竿を利用して洗濯物等を乾燥させる場合、物干し竿に掛けた衣類等が風によって物干し竿の一部分に吹き寄せられてしまうという問題があった。また、物干し竿を利用して布団類などの重厚な干し物を乾燥させる場合、折り曲げて掛けた干し物の裏面が互いに密着してしまい干し物裏面間の通気が阻害され、布団類の乾燥が不十分になるという問題があった。
【０００４】
このような従来からの問題を解決すべく、前者の問題に対しては、例えば、特許文献１乃至４などに示されるような多数の発明や考案が開示されている。これらの発明や考案は、物干し竿の軸体の表面に凹凸形状や波型形状を設け、物干し竿に直接に掛けた衣類や、ハンガーを介して物干し竿に吊るした衣類等の干し物が、物干し竿の長手方向に沿って容易に移動しないようにしたものである。
【０００５】
一方、後者の問題を解決するためには、例えば、少なくとも２本以上の物干し竿を所定の間隔を置いて並行に並べ、その間に布団類などの重厚な干し物を掛け渡して天日乾燥を行なうという手法が一般的に用いられていた。
【０００６】
【特許文献１】特開２００７−２９６２８９号公報
【特許文献２】特開平７−０２７５５７６号公報
【特許文献３】実用新案登録第３１２２２２２号公報
【特許文献４】実用新案登録第３１１２１５６号公報
【考案の開示】
【考案が解決しようとする課題】
【０００７】
しかしながら、前者の問題を解決すべく、上記の従来技術に開示された発明や考案は、物干し竿の軸体の表面に凹凸形状や波型形状を設けるため、軸体の製造工程が煩雑となり製品コストの上昇を招くという欠点があった。
【０００８】
一方、後者の問題を解決すべく、並行に置かれた複数の物干し竿に布団類等の重厚な干し物を掛け渡すという手法は、常に２本以上の物干し竿が必要とされるという欠点がある。さらに、これらの物干し竿を所定の間隔を保って並行して掛け渡すことができる形状の物干し台が必要不可欠になるという問題もあった。
【０００９】
本考案は、このような従来からの課題を解決することを目的とするものであって、より具体的には、物干し竿に干した衣類等の洗濯物が風によって吹き寄せられることを防止し、かつ、一本の物干し竿のみを用いて、布団類などの重厚な干し物を効率的に乾燥させることができる物干し竿を提供することを目的とする。
【課題を解決するための手段】
【００１０】
本考案の第１の観点による物干し竿は、前述の目的を達成するため、竿軸の長手方向について、竿軸の軸体を互いに反対方向に屈曲させた屈曲部を連続して設けたことを特徴とする。
したがって、このような構成によれば、互いに反対方向に屈曲させた屈曲部が竿軸の軸体長手方向について連続するので、物干し竿に干された衣類などの洗濯物が軸体の長手方向に沿って移動する現象を防ぐことができる。
【００１１】
また、本考案の第２の観点による物干し竿は、上記第１の観点において、隣接する同方向に屈曲された屈曲部は、竿軸の長手方向中心線を含む垂直断面に対し、所定の角度をもって互いに反対側に傾斜していることを特徴とする。
したがって、このような構成によれば、竿軸に設けられた隣接する同方向に屈曲された屈曲部は竿軸の長手方向中心線の両側に突出した形となる。この結果、竿軸に二つ折りにして掛けられた干し物は、かかる突出した屈曲部によって竿軸の両側に開帳されるため、二つ折りにされた干し物の裏面どうしの間に空隙を設けることができる。
【００１２】
また、本考案の第３の観点による物干し竿は、上記第１又は第２の観点において、前記屈曲部は、その中間部において直線部分を有することを特徴とする。
したがって、このような構成によれば、かかる屈曲部の直線部分に多数の洗濯物を掛けることができる。
【００１３】
また、本考案の第４の観点による物干し竿は、上記第１乃至第３のうちの少なくとも何れか一つの観点において、前記竿軸の軸体は、ステンレス鋼材若しくは防錆処理が施された鋼材、或いは防水部材によって被覆された鋼材からなる管状体であることを特徴とする。
したがって、このような構成によれば、丈夫で軽く、かつ錆びにくい物干し竿を実現することができる。
【考案の効果】
【００１４】
本考案によれば、竿軸の長手方向について竿軸の軸体を互いに反対方向に屈曲させた屈曲部を連続して設けたことにより、物干し竿に干された衣類などの洗濯物が風によって竿軸の一箇所に吹き寄せられることを防止できる。
【００１５】
また、竿軸に二つ折りにして掛けられた布団などの重厚な干し物の裏面は、かかる屈曲部に担持されて、竿軸長手方向の中心軸に対して左右の方向に開帳されるため、二つ折りにして掛けられた干し物の裏面間における通気性が向上して布団類の乾燥効率が高まる。
【００１６】
また、本考案による物干し竿は、竿軸を構成する鋼管の折り曲げ加工のみによって製造できるので、その製造工程が単純であり製品コストの低減を図ることができる。さらに、竿軸の全長に亘って屈曲部が設けられているので、単純な直線状の鋼管からなる従来の物干し竿に比較してその折曲げ強度が増加する。
【考案を実施するための最良の形態】
【００１７】
本考案を実施するための最良の形態である実施例について、添付図面を参照しつつ以下に説明を行う。
【００１８】
先ず、本実施例による物干し竿１０の構造を図１に示す。同図において、図１ａは、物干し竿１０の長手方向の正面図、即ち物干し竿１０の長手方向を横から見た図を示している。一方、図１ｂは、物干し竿１０の長手方向の平面図、即ち物干し竿１０の長手方向を上から見た図を示している。なお、図１ａ及び１ｂに付されている着色部分は、図１ａと１ｂに示された物干し竿１０の比較を容易にするために付された単なるマーカーであり、軸体の材質や構造の相違を表すものではない。
【００１９】
因みに、物干し竿１０の軸体の材質は、その強度や防錆性を考慮すれば、例えば、ＳＵＳ４３０などのステンレス鋼管を用いることが好ましい。但し、本考案の実施は、かかる材質のみに限定されるものではなく、例えば、通常の鋼材に防水塗料をコーティングした鋼管を用いるようにしても良い。或いは、ポリエチレン・フィルムなどの高分子材料からなる防水チューブを通常の鋼管に被覆したものを使用するようにしても良い。
【００２０】
図１ａからも明らかなように、物干し竿１０の軸体は、その全長に亘って所定の周期を有する屈曲部（例えば、山部１１、１３や谷部１２、１４など）が連続した構造となっている。さらに、かかる屈曲部は垂直の上下方向に周期的な山・谷が形成されているだけでなく、その水平方向についても所定の手順にしたがって屈曲処理が施されている。
【００２１】
すなわち、図１ｂに示されるように、谷部１２は物干し竿１０の長手方向中心軸に対してその左側に屈曲されており、逆に谷部１４は物干し竿１０の長手方向中心軸に対してその右側に屈曲されている。なお、物干し竿１０の長手方向中心軸に対する左側或いは右側の定義は、図１ｂ中の矢印Ａ方向から物干し竿１０の長手方向を眺めた場合を基準としたものである。
【００２２】
この様子を、矢印Ａ方向から物干し竿１０の長手方向を眺めた場合の各部の関係を示す模式図１ｃを用いて説明する。同図に示されるように、谷部１２は、山部１１、１３の中心を通る垂直線２０に対して角度θをもってその左側に屈曲されている。一方、谷部１４は、山部１１、１３の中心を通る垂直線２０に対して同じく角度θをもってその右側に屈曲されている。
【００２３】
つまり、本考案においては、隣接する谷部どうしは物干し竿１０の長手方向中心線を垂直に横切る垂直線２０について、互い異なる方向に対して角度θをもって屈曲されている。垂直線２０は、物干し竿１０の長手方向中心線を垂直方向に横切る断面を示すものであるので、隣接する谷部どうしは、物干し竿１０の長手方向中心線を通る垂直断面の左右の両側にそれぞれ角度θをもって展開された形となる。
【００２４】
上記の角度θの値としては、約３０度〜６０度程度の範囲において任意に選択することが可能であり、その実用的な値としてはθ＝４５度程度に設定することが好ましい。なお、上記の事例では隣接する谷部の屈曲角度θを左右同一の値として説明を行なったが、本考案の実施はかかる事例に限定されるものではなく、例えば、右θ＝４０度、左θ＝５０度のように、屈曲角度の値を左右非対称に設定するようにしても良い。
【００２５】
因みに、山部１１、１３、並びに谷部１２、１４の各部の関係をより明解に表すべく、物干し竿１０におけるこれらの部位の部分斜視図（スケルトン構造斜視図）を図２に示す。なお、同図においては、各部の様子を判り易く表現するため、物干し竿の長手方向の縮尺と上下方向の縮尺とは必ずしも一致してはいない。
【００２６】
次に、本実施による物干し竿１０の使用態様の一例を図３に示す。
図３ａに示されるように、物干し竿１０の谷部１２、１４に衣類などの洗濯物３０を干した場合、各谷部に掛けられた干し物の竿軸長手方向への移動は各谷部の両側に隣接する山部によって妨げられる。このため、風によって洗濯物が物干し竿の一部分に吹き寄せられてしまう現象を効果的に防ぐことができる。
【００２７】
なお、谷部及び山部の各頂点部位に含まれる直線部分の長さは、谷部及び山部の双方について等しく設定する必要はない。例えば、図３ｂに示されるように、谷部に含まれる直線部分の長さを長くして、山部に含まれる直線部分の長さを短くするようにしても良い。このような構成をとることによって、より多くの洗濯物３０を谷部の直線部分に掛けることができる。
【００２８】
次に、物干し竿１０に布団類４０などの重厚な干し物を二つ折りにして掛けた場合の使用態様を図４に示す。この場合、二つ折りにされた干し物の裏面は、図４ａに示す如く、物干し竿１０の長手方向に沿って、竿軸の長手方向中心軸の左右両側に突出された夫々の谷部によって担持されることになる。
【００２９】
この様子を、図４ａ中の矢印Ａ方向から物干し竿１０の長手方向を眺めた場合の説明図４ｂに示す。同図からも明らかなように、二つ折りにされた干し物の両側の裏面は、物干し竿１０の谷部１２或いは１４等によって開帳され、二つ折りにされた干し物の裏面間に空隙が確保される。
【００３０】
布団類４０の天日乾燥中は、かかる空隙を空気が自在に流通するため、二つ折りにされた干し物の裏面についても水分の蒸発が促進される。このため、布団類などの重厚な干し物を二つ折りにして干した場合でも、極めて短時間のうちにその乾燥処理を行なう事が可能となる。
【００３１】
なお、本考案の実施例は上記の事例に限定されるものではなく、例えば、図５に示されるような構成としても良い。同図において、図５ａは物干し竿１０の長手方向の正面図を、図５ｂは物干し竿１０の長手方向の平面図を、図５ｃは図５ｂ中のＡ方向から見た各部の関係の模式図をそれぞれ表している。
【００３２】
図５に示す実施例は、物干し竿の軸体１０の谷部ではなく、その山部について竿軸長手方向中心線の左右両側に屈曲を加えたものである。すなわち、図５ｃに示されるように、山部１１は、谷部１２、１４の中心を通る垂直線２０に対して角度θをもってその左側に屈曲されている。一方、山部１３は、谷部１２、１４の中心を通る垂直線２０に対して同じく角度θをもってその右側に屈曲されている。
【００３３】
したがって、図５に示される実施例では、物干し竿の軸体１０に布団類などの重厚な干し物を二つ折りにして干した場合、その裏面を竿軸の長手方向中心軸の左右両側に展開する機能を、軸体１０の谷部ではなく山部が担うことになる。なお、このような点を除き、図５に示される実施例の構成、及び効果は前述した図１の場合と同様であるため、同実施例についての詳細な説明は省略する。
【００３４】
なお、本考案の実施形態は、以上に説明した各実施例に限定されるものではなく、例えば、各々の実施例を構成する各部位の形状や配置或いはその素材等は、本考案の趣旨を逸脱することなく、現実の実施態様に即して適宜変更ができるものであることは言うまでもない。
【産業上の利用可能性】
【００３５】
以上に説明した本考案の構成は、一般の天日乾燥を利用した物干し竿、或いは乾燥室や乾燥機等の内部において布団などを掛ける干し竿等においてその利用が可能である。
【図面の簡単な説明】
【００３６】
【図１】本考案の実施例である物干し竿の構成を説明する図である。
【図２】本考案の実施例である物干し竿の部分斜視図である。
【図３】本考案の実施例である物干し竿に衣類などの洗濯物を干した場合の実施態様を説明する図である。
【図４】本考案の実施例である物干し竿に布団類などを二つ折りにして干した場合の実施態様を説明する図である。
【図５】本考案の他の実施例である物干し竿の構成を説明する図である。
【符号の説明】
【００３７】
１０    …  竿軸軸体
１１    …  屈曲部（山部）
１２    …  屈曲部（谷部）
１３    …  屈曲部（山部）
１４    …  屈曲部（谷部）
３０    …  洗濯物
４０    …  布団類
【図１】
0003142573.tif 000003
【図２】
0003142573.tif 000004
【図３】
0003142573.tif 000005
【図４】
0003142573.tif 000006
【図５】
0003142573.tif 000007